(57)【要約】      （修正有）【課題】異なる振動感を有する振動モーターを提供する。【解決手段】弾性接続具は、第１の弾性接続具１４１及び第２の弾性接続具１４２を含み、振動部材は、それぞれフレーム１１の両側に設置された第１の振動システム１３１と第２の振動システム１３２を含み、第１の弾性接続具は一部が第１の振動システムに接続され、他の一部は、フレームの一方の側に接続され、第２の弾性接続具は、一部が第２の振動システムに接続され、他の一部が、フレームの他方の側に接続されている。同一の方向に沿って振動する第１の振動システム及び第２の振動システムは異なる共振周波数を持ち、ユーザーに異なる振動感を提供する。【選択図】図１
2017085868.tif 000002
【特許請求の範囲】
【請求項１】
フレームと、振動部材と、前記振動部材に対してその振動方向における弾性回復力を提供するための弾性接続具とを含み、前記弾性接続具は、第１の弾性接続具及び第２の弾性接続具を含み、前記振動部材は、それぞれ前記フレームの両側に設置された第１の振動システムと第２の振動システムを含み、前記第１の弾性接続具の一部は、前記第１の振動システムに接続され、他の一部は、前記フレームの一方の側に接続され、前記第２の弾性接続具の一部は、前記第２の振動システムに接続され、他の一部は、前記フレームの他方の側に接続されており、
前記第１の振動システムは、コイルを含み、前記第２の振動システムは、磁気ギャップを有する磁気回路システムを含み、前記コイルは、少なくとも一部が前記磁気ギャップ内に設置され、前記コイルと前記磁気回路システムとによって生成された駆動力は、前記第１の振動システム又は前記第２の振動システムを同一方向に沿って振動させるように駆動することを特徴とする振動モーター。
【請求項２】
前記第１の振動システムは、質量ブロックと、前記質量ブロックの、前記第２の振動システムに向かう表面に貼設された接続プレートとをさらに含み、前記コイルは、前記接続プレートの、前記第２の振動システムに向かう表面に固定され、前記第１の弾性接続具は一部が前記接続プレートに接続され，他の一部が前記フレームに接続されていることを特徴とする請求項１に記載の振動モーター。
【請求項３】
前記質量ブロックの、前記第２の振動システムに向かう表面にボスが凸設され、前記接続プレートは前記ボスに貼設されていることを特徴とする請求項２に記載の振動モーター。
【請求項４】
前記第１の弾性接続具は、前記接続プレートに接続された第１の本体部と、前記第１の本体部に対して中心対称に設置された複数の第１の弾性支持脚とを含み、複数の前記第１の弾性支持脚は前記フレームの一方の側に接続されていることを特徴とする請求項２に記載の振動モーター。
【請求項５】
前記第１の本体部はリング状をなしており、前記第１の弾性支持脚は４つあり、前記第１の本体部に対して中心対称に設置されていることを特徴とする請求項４に記載の振動モーター。
【請求項６】
前記磁気回路システムは、前記第２の弾性接続具に接続された磁気ヨークと、前記磁気ヨーク内に収納された磁性鋼とを含み、前記磁気ギャップは、前記磁気ヨークと前記磁性鋼との間の隙間により形成されることを特徴とする請求項１に記載の振動モーター。
【請求項７】
前記第２の弾性接続具は、前記磁気ヨークの、前記第１の振動システムに向かう表面に接続された第２の本体部と、前記第２の本体部に対して中心対称に設置された複数の第２の弾性支持脚とを含み、複数の前記第２の弾性支持脚は前記フレームの他方の側に接続されていることを特徴とする請求項６に記載の振動モーター。
【請求項８】
前記第２の本体部はリング状をなしており、前記第２の弾性支持脚は４つあり、前記第２の本体部に対して中心対称に設置されていることを特徴とする請求項７に記載の振動モーター。
【請求項９】
前記磁気回路システムは、前記磁性鋼に設置されたポールコアをさらに含むことを特徴とする請求項６に記載の振動モーター。
【請求項１０】
前記振動モーターは、前記磁気ヨークを収納固定するための下カバーをさらに含み、前記下カバーは、前記フレームに接続されていることを特徴とする請求項６に記載の振動モーター。
【発明の詳細な説明】
【技術分野】
【０００１】
本発明は振動モーターに関する技術であり、特に携帯型の消耗性電子製品に適用可能な振動モーターに関する。
【背景技術】
【０００２】
電子技術の発展に伴い、携帯型の消費電子製品は、ますます人々に好まれるようになっており、例えば、携帯電話、携帯ゲーム機、ナビゲーション装置又は携帯型マルチメディア娯楽デバイスなどにおいては、通常、振動モーターがシステムのフィードバックとして用いられており、例えば、携帯電話の着信通知、メッセージの通知、ナビゲーション情報の通知、ゲーム機の振動レスポンスなどが挙げられる。
【０００３】
縦式振動モーターは、モーターの回転原理を利用して振動を発生させることではなく、共振周波数に基づき、周期的に電磁力を生ずることにより共振を発生させ、これにより、振動を発生させる。
【０００４】
関連技術における振動モーターは、動作するとき、振動周波数が単一であり、異な周波数の駆動周波数の場合、それと異なる共振周波数が存在するため、共振状態とすることができない。
【発明の概要】
【発明が解決しようとする課題】
【０００５】
上述した振動モーターの振動周波数が単一であるという技術的課題を鑑みて、本発明は振動モーターを提供する。
【課題を解決するための手段】
【０００６】
本発明に提供された振動モーターは、フレームと、振動部材と、前記振動部材に対してその振動方向における弾性回復力を提供するための弾性接続具とを含み、前記弾性接続具は、第１の弾性接続具及び第２の弾性接続具を含み、前記振動部材は、それぞれ前記フレームの両側に設置された第１の振動システムと第２の振動システムを含み、前記第１の弾性接続具の一部は、前記第１の振動システムに接続され、他の一部は、前記フレームの一方の側に接続され、前記第２の弾性接続具の一部は、前記第２の振動システムに接続され、他の一部は、前記フレームの他方の側に接続されている。前記第１の振動システムは、コイルを含み、前記第２の振動システムは、磁気ギャップを有する磁気回路システムを含み、前記コイルは、少なくとも一部が前記磁気ギャップ内に設置され、前記コイルと前記磁気回路システムとによって生成された駆動力は、前記第１の振動システム又は前記第２の振動システムを同一方向に沿って振動させるように駆動する。
【０００７】
本発明の好ましい実施例において、前記第１の振動システムは、質量ブロックと、前記質量ブロックの、前記第２の振動システムに向かう表面に貼設された接続プレートとをさらに含み、前記コイルは前記接続プレートの、前記第２の振動システムに向かう表面に固定され、前記第１の弾性接続具は一部が前記接続プレートに接続され，他の一部が前記フレームに接続されている。
【０００８】
本発明の好ましい実施例において、前記質量ブロックの、前記第２の振動システムに向かう表面にボスが凸設され、前記接続プレートは前記ボスに貼設されている。
【０００９】
本発明の好ましい実施例において、前記第１の弾性接続具は、前記接続プレートに接続された第１の本体部と、前記第１の本体部に対して中心対称に設置された複数の第１の弾性支持脚とを含み、複数の前記第１の弾性支持脚は前記フレームの一方の側に接続されている。
【００１０】
本発明の好ましい実施例において、前記第１の本体部はリング状をなしており、前記第１の弾性支持脚は４つあり、前記第１の本体部に対して中心対称に設置されている。
【００１１】
本発明の好ましい実施例において、前記磁気回路システムは、前記第２の弾性接続具に接続された磁気ヨークと、前記磁気ヨーク内に収納された磁性鋼とを含み、前記磁気ギャップは、前記磁気ヨークと前記磁性鋼との間の隙間により形成される。
【００１２】
本発明の好ましい実施例において、前記第２の弾性接続具は、前記磁気ヨークの、前記第１の振動システムに向かう表面に接続された第２の本体部と、前記第２の本体部に対して中心対称に設置された複数の第２の弾性支持脚とを含み、複数の前記第２の弾性支持脚は前記フレームの他方の側に接続されている。
【００１３】
本発明の好ましい実施例において、前記第２の本体部はリング状をなしており、前記第２の弾性支持脚は４つあり、前記第２の本体部に対して中心対称に設置されている。
【００１４】
本発明の好ましい実施例において、前記磁気回路システムは、前記磁性鋼に設置されたポールコアをさらに含む。
【００１５】
本発明の好ましい実施例において、当該振動モーターは、前記磁気ヨークを収納固定するための下カバーをさらに含み、前記下カバーは、前記フレームに接続されている。
【発明の効果】
【００１６】
上記振動モーターに比べ、本発明に提供された振動モーターは、同一の方向に沿って振動する第１の振動システム及び第２の振動システムを備えており、前記振動モーターに異なる駆動周波数を与えるとき、第１の振動システム及び第２の振動システムは、異なる振動感を提供することができるため、振動モーターの性能及びユーザーの体験を向上させることができる。
【図面の簡単な説明】
【００１７】
本発明の実施例における技術方案をより明確に説明するために、以下は実施例の説明に用いられる必要な図面について簡単に説明する。明らかに、以下の説明に使用される図面は、本発明の幾つかの実施例に過ぎず、当業者にとって、創造的な労力を要しないことを前提にして、これらの図面に基づきその他の図面を得ることができる。ここで、
【図１】本発明に提供された振動モーターの実施例の斜視分解図である。
【図２】図１に示された振動モーターの斜視構成図である。
【図３】図２に示された振動モーターのＡ−Ａ方向における断面図である。
【発明を実施するための形態】
【００１８】
以下、本発明の実施例における技術方案について明確に完全に説明をする。当然ながら、説明する実施例は本発明の一部の実施例に過ぎず、すべての実施例ではない。本発明における実施例に基づき、当業者が、進歩性に値する労働を要しないことを前提として得られた全ての他の実施例は、全て本発明の保護範囲に含まれる。
【００１９】
図１、図２及び図３を参照し、ここで、図１は、本発明に提供された振動モーターの実施例の斜視分解図であり、図２は、図１に示された振動モーターの斜視図であり、図３は、図２に示された振動モーターのＡ−Ａ方向における断面図である。前記振動モーター１は、フレーム１１と、下カバー１２と、振動部材１３と、前記振動部材１３へのその振動方向における弾性回復力を提供するための弾性接続具１４とを含み、前記下カバー１２は、前記フレーム１１に接続されている。
【００２０】
前記弾性接続具１４は、第１の弾性接続具１４１及び第２の弾性接続具１４２を含み、前記振動部材１３は、それぞれ前記フレーム１１の両側に設置された第１の振動システム１３１及び第２の振動システム１３２を含み、前記第１の弾性接続具１４１の一部は、前記第１の振動システム１３１に接続され、他の一部は前記フレーム１１の一方の側に接続され、前記第２の弾性接続具１４２の一部は、前記第２の振動システム１３２に接続され、他の一部は、前記フレーム１１の他方の側に接続されている。図面により分かるように、第１の振動システム１３１及び第２の振動システム１３２は、フレーム１１の両側に上下に設置されているが、当然ながら、第１の振動システム１３１及び第２の振動システム１３２は左右に設置されても良い。
【００２１】
前記第１の振動システム１３１は、コイル１３１１と、質量ブロック１３１２と、前記質量ブロック１３１２の表面に貼設された接続プレート１３１３とを含む。前記質量ブロック１３１２の、前記第２の振動システム１３２に向かう表面にボス１３１６が凸設されている。前記接続プレート１３１３は前記ボス１３１６に貼設されている。前記接続プレート１３１３は、柱状のリング形の接続プレート本体１３１４及び前記接続プレート本体１３１４において被覆された接続部１３１５を含む。前記コイル１３１１は前記接続プレート本体１３１４の、前記第２の振動システム１３２に向かう表面に固定されている。
【００２２】
前記第１の弾性接続具１４１は、前記接続プレート１３１３に接続された第１の本体部１４１１、及び、前記第１の本体部１４１１に対して中心対称に設置された複数の第１の弾性支持脚１４１２を含み、複数の前記第１の弾性支持脚１４１２は前記フレーム１１の一方の側に接続されている。第１の本体部１４１１は接続部１３１５の外縁に接続されている。好ましくは、前記第１の本体部１４１１はリング状をなしており、前記第１の弾性支持脚１４１２は４つあり、前記第１の本体部１４１１に対して中心対称に設置されている。
【００２３】
前記第２の振動システム１３２は、磁気回路システム１３２１を含む。前記磁気回路システム１３２１は、前記第２の弾性接続具１４２に接続された磁気ヨーク１３２４、前記磁気ヨーク１３２４内に収納された磁性鋼１３２５、及び前記磁性鋼１３２５の表面に設置されたポールコア１３２３を含む。前記磁気ヨーク１３２４と前記磁性鋼１３２５との間の隙間は磁気ギャップ１３２２を形成する。前記コイル１３１１の下端は磁気ギャップ１３２２内に設置されている。前記磁気ヨーク１３２４はフレーム１１に接続された下カバー１２により、固定される。具体的には、前記フレーム１１の他端に接続柱１１１が形成されており、前記下カバー１２は接続孔１２１を有し、前記接続孔１２１は前記接続柱１１１の位置に対応し、数も寸法も同じであり、前記フレーム１１は、前記接続柱１１１を前記下カバー１２の前記接続孔１２１に挿設することにより固定される。具体的には、前記接続柱１１１及び前記接続孔１２１の数はいずれも４つである。
【００２４】
前記磁気ヨーク１３２４は、磁気ヨーク本体１３２６及び前記磁気ヨーク本体１３２６の上端面から折り曲げ延びて、形成された段差部１３２７を含む。前記第２の弾性接続具１４２は、前記段差部１３２７に接続された第２の本体部１４２１、及び、前記第２の本体部１４２１に対して中心対称に設置された複数の第２の弾性支持脚１４２２を含み、複数の前記第２の弾性支持脚１４２２は前記フレーム１１の他方の側に接続されている。前記第２の本体部１４２１はリング状をなしており、前記第２の弾性支持脚１４２２は４つあり、前記第２の本体部１４２１に対して中心対称に設置されている。
【００２５】
コイル１３１１に通電するとき、磁気回路システム１３２１と駆動力を生成し、第１の振動システム１３１及び第２の振動システム１３２を図面における垂直方向に沿って振動させるように駆動する。例えば、前記第１の振動システム１３１の共振周波数をｆ０１とし、前記第２の振動システム１３２の共振周波数をｆ０２とする。電流信号の周波数が第１の振動システム１３１の共振周波数ｆ０１に等しい時、第１の振動システム１３１が共振状態となり、そのとき、第２の振動システム１３２がまだ共振状態となっておらず、振動が弱い。電流信号の周波数が第２の振動システム１３２の共振周波数ｆ０２に等しい時、第２の振動システム１３２が共振状態となり、そのとき、第１の振動システム１３１がまだ共振状態となっておらず、振動が弱い。  
【００２６】
以上に説明した通り、前記振動モーターに異なる駆動周波数を与えるとき、第１の振動システム及び第２の振動システムは、異なる振動感を提供することができるため、振動モーターの性能及びユーザーの体験を向上させることができる。
【００２７】
上述したのは、本発明の実施形態に過ぎず、本発明の特許請求の範囲を限定するものではない。本発明の明細書及び図面の内容に基づいて行う等価構成又は等価変換フロー、あるいは他の関連技術分野における直接又は間接運用は、全て同様に本発明の特許請求の範囲内に含まれる。
【図１】
2017085868.tif 000003
【図２】
2017085868.tif 000004
【図３】
2017085868.tif 000005